(57)【要約】【課題】通信制御の運用上の障害を最小限に抑制することができる通信システムを提供する。【解決手段】通信装置の通信制御を運用する複数の制御部を有する通信システム１であって、複数の制御部２０及び３０の各々は、自己の制御部の優先系又は非優先系の設定情報を自己以外の制御部に送信し、前記自己の制御部の設定情報と前記自己以外の制御部の設定情報とを比較し、前記比較した結果が一致する場合であって、少なくとも前記自己の制御部と前記自己以外の制御部とが同時に起動した場合、または前記自己の制御部が前記自己以外の制御部の後に起動した場合に前記通信制御の運用を停止して設定異常を通知する通信システムを提供する。【選択図】図１
2011146798.tif 000002
【特許請求の範囲】
【請求項１】
通信装置の通信制御を運用する複数の制御部を有する通信システムであって、
前記複数の制御部の各々は、
自己の制御部の優先系又は非優先系の設定情報を自己以外の制御部に送信し、
前記自己の制御部の設定情報と前記自己以外の制御部の設定情報とを比較し、
前記比較した結果が一致する場合であって、少なくとも前記自己の制御部と前記自己以外の制御部とが同時に起動した場合、または前記自己の制御部が前記自己以外の制御部の後に起動した場合に前記通信制御の運用を停止して設定異常を通知する
通信システム。
【発明の詳細な説明】
【技術分野】
【０００１】
本発明は、優先系制御部と非優先系制御部を有する二重化した通信システムに関する。
【背景技術】
【０００２】
従来の通信システムは、通信装置等の通信制御を運用する際、システムダウンが発生し、優先系制御部での運用が継続できない場合、非優先系制御部へ切り替えることが可能な二重化運用を行っている。これらの制御部は、ＤＩＰＳＷ（Ｄｕａｌ  Ｉｎ−ｌｉｎｅ  Ｐａｃｋａｇｅ  Ｓｗｉｔｃｈ）を有し、ＤＩＰＳＷにより優先系又は非優先系を設定する。
【０００３】
また、関連する技術として、以下の技術が開示されている。
【先行技術文献】
【特許文献】
【０００４】
【特許文献１】特開２００２−２６１９２９号公報
【発明の概要】
【発明が解決しようとする課題】
【０００５】
しかし、従来の二重化方式によるシステム運用では、作業者が誤って制御部のＤＩＰＳＷを両方優先系として設定した場合、イニシャル処理によって制御部の各々が自系を優先系と判断してしまう。このため、各々の制御部が現用系としてシステム運用を開始し継続してしまい、誤動作が発生する問題がある。また、従来のシステム運用では、一旦システムが運用された後、正常な二重化運用による制御ができないという問題がある。さらに、従来のシステム運用では、作業者が制御部の設定を誤った上で制御部の基板を交換した場合、設定ミスの発見が遅れてしまう問題がある。
【０００６】
また、前述のような問題は、二重化方式に限らず、制御部を三つ以上有する多重化方式のシステム運用でも同様に発生しうる。
【０００７】
本発明は、通信制御の運用上の障害を最小限に抑制することができる通信システムを提供することを目的とする。
【課題を解決するための手段】
【０００８】
上述した課題を解決するため、本発明の一態様である通信システムは、通信装置の通信制御を運用する複数の制御部を有する通信システムであって、前記複数の制御部の各々は、自己の制御部の優先系又は非優先系の設定情報を自己以外の制御部に送信し、前記自己の制御部の設定情報と前記自己以外の制御部の設定情報とを比較し、前記比較した結果が一致する場合であって、少なくとも前記自己の制御部と前記自己以外の制御部とが同時に起動した場合、または前記自己の制御部が前記自己以外の制御部の後に起動した場合に前記通信制御の運用を停止して設定異常を通知する。
【発明の効果】
【０００９】
本発明によれば、通信制御の運用上の障害を最小限に抑制することができる。
【図面の簡単な説明】
【００１０】
【図１】本実施の形態における通信システムの模式図である。
【図２】本実施の形態における通信システムの予備管理部のブロック構成図である。
【図３】本実施の形態における通信システムの運用設定状態応答電文の一例を示すテーブルである。
【図４】本実施の形態における通信システムの運用設定状態応答電文の一例を示すテーブルである。
【図５】本実施の形態における通信システムの２つの制御部がいずれも優先系に設定され、異なる時期に起動した時のシーケンス図である。
【図６】本実施の形態における通信システムの２つの制御部がいずれも優先系に設定され、同時起動した時のシーケンス図である。
【図７】本実施の形態における通信システムの２つの制御部がいずれも非優先系に設定され、異なる時期に起動した時のシーケンス図である。
【図８】本実施の形態における通信システムの２つの制御部がいずれも非優先系に設定され、同時起動した時のシーケンス図である。
【発明を実施するための形態】
【００１１】
以下、本実施の形態について図面を参照しつつ説明する。図１は、本実施の形態における通信システム１の模式図である。図２は、本実施の形態における通信システム１の予備管理部２２及び３２のブロック構成図である。通信システム１は、管理コンソール１０、制御部２０及び３０、通信制御部４０、ＢＳＩＦ（Ｂａｓｅ  Ｓｔａｔｉｏｎ  Ｉｎｔｅｒｆａｃｅ）５０、ＰＣＵ（Ｐａｇｉｎｇ  Ｃｏｎｔｒｏｌ  Ｕｎｉｔ）６０、ＣＯＴ（Ｃｅｎｔｒａｌ  Ｏｆｆｉｃｅ  Ｔｒａｎｓｌａｔｏｒ）７０、ＤＩＦ（Ｄｉｇｉｔａｌ  Ｉｎｔｅｒｆａｃｅ）８０、無線基地局装置９０、無線通信端末（携帯電話機）１００、有線ページング装置１１０、内線電話１２０及びショートメッセージサーバ１３０を有する。
【００１２】
制御部２０及び３０は、回線制御などの通信システム１における各種の処理を制御する。制御部２０及び３０は、イニシャル処理部２１及び３１、予備管理部２２及び３２、交換制御部２３及び３３、運用管理部２４及び３４、メモリ２５及び３５、ＬＥＤ（Ｌｉｇｈｔ  Ｅｍｉｔｔｉｎｇ  Ｄｉｏｄｅ）２６及び３６、ＤＩＰＳＷ（Ｄｕａｌ  Ｉｎ−ｌｉｎｅ  Ｐａｃｋａｇｅ  Ｓｗｉｔｃｈ）２７及び３７、ＩＦ（Ｉｎｔｅｒｆａｃｅ）２８及び３８を有する。以下に、制御部２０について説明する。なお、制御部３０は、制御部２０と同様の構成を有するため、説明を省略する。
【００１３】
イニシャル処理部２１は、通信システムの電源を入れた時に、入出力ユニットのリセット、データのクリア等の起動処理を行う。予備管理部２２は、イニシャル処理部２１による処理の終了後、制御部２０同士の設定情報（ＤＩＰＳＷ２７の設定）等の読み込み等を行う。予備管理部２２の詳細については後述する。交換制御部２３は、携帯電話機１００や内線電話１２０で通話するために、音声ラインのスイッチング等の回線制御を行う。
【００１４】
運用管理部２４は、携帯電話機の台数、携帯電話の割り当て番号、携帯電話機の通話用の運用設定情報等のシステム運用情報やログ情報を管理する。メモリ２５は、システム運用情報やログ情報を保存する。ＩＦ２８は、システムフラグであり、管理コンソールからの割り込み情報に対応する。
【００１５】
予備管理部２２は、図２に示すように、ＤＩＰＳＷ設定読込部２２ａ、要求・状態送受信部２２ｂ、比較部２２ｃ、処理制御部２２ｄ、ＬＥＤ制御部２２ｅ及びログ保存処理部２２ｆを有する。
【００１６】
ＤＩＰＳＷ設定読込部２２ａは、イニシャル処理部２１による処理後、ＤＩＰＳＷ２７の設定情報を読み込み、読み込んだ設定情報を後述する比較部２２ｃに送信する。要求・状態送受信部２２ｂは、例えばＤＩＰＳＷ３７の設定情報であり、少なくとも運用系（現用／予備）及び優先系／非優先系を示す情報を要求する運用設定状態要求電文（要求電文）や、その要求電文に対する運用設定状態応答電文（応答電文）を送受信する。この応答電文は、ＤＩＰＳＷ設定読込部２２ａにより読み込まれた設定情報に基づいた電文である。比較部２２ｃは、ＤＩＰＳＷ設定読込部２２ａから受信したＤＩＰＳＷ２７の設定情報と、要求・状態送受信部２２ｂから受信した応答電文とを比較し、比較した結果を後述する処理制御部２２ｄ、ＬＥＤ制御部２２ｅ、ログ保存処理部２２ｆに送信する。
【００１７】
処理制御部２２ｄは、比較部２２ｃから受信した比較結果に応じて、制御部２０自身を停止又はリセットするか、或いは、そのまま優先系又は予備系として起動及び維持するように制御部２０を制御する。つまり、処理制御部２２ｄは、制御部２０が制御部３０の後に起動するか、又は制御部２０と制御部３０とが同時に起動した際、いずれも優先系又は非優先系である比較結果を受信する場合がある。これらの場合、処理制御部２２ｄは、制御部２０の起動を停止又はリセット処理を行う。また、処理制御部２２ｄは、制御部２０が起動した後に制御部３０が起動し、優先系又は非優先系が不一致である比較結果を受信する場合がある。この場合、処理制御部２２ｄは、そのまま制御部２０の起動を維持する。一方、処理制御部２２ｄは、制御部２０が制御部３０より先に起動し、優先系又は非優先系が一致する比較結果を受信した場合、起動を停止又はリセットする。
【００１８】
また、処理制御部２２ｄは、制御部２０が優先系に設定されていたり、制御部２０に障害があったり制御部３０が既に運用中である場合、予備系として運用を開始する。処理制御部２２ｄは、運用を開始する場合には、運用を開始する指示を交換制御部２３に送信してもよいし、運用を停止する場合にだけ停止指示を交換制御部２３や運用管理部２４に送信してもよい。
【００１９】
ＬＥＤ制御部２２ｅは、比較部２２ｃの比較結果に応じて、ＬＥＤ２６の表示を制御する。例えば、ＬＥＤ制御部２２ｅは、比較部２２ｃの比較結果から制御部２０が起動を停止した場合に、設定異常の表示をＬＥＤ２６に表示させる。例えば、ＬＥＤ２６のすべての素子を点滅表示させる。ログ保存処理部２２ｆは、比較部２２ｃの比較結果、処理制御部２２ｄ及びＬＥＤ制御部２２ｅの処理結果をログとしてメモリ２５に保存する。
【００２０】
通信制御部４０は、ＢＳＩＦ５０等のインターフェースの制御を行う。ＢＳＩＦ５０は、通信制御部４０と無線基地局装置９０間のインターフェースパッケージである。ＰＣＵ６０は、有線ページング装置１１０の接続インターフェースパッケージである。ＣＯＴ７０は、内線電話１２０の接続インターフェースパッケージである。ＤＩＦ８０は、ショートメッセージサーバ１３０の接続インターフェースパッケージである。有線ページング装置１１０は、構内に設置されたスピーカ等から呼び出しや放送をする。ショートメッセージサーバ１３０は、通信システム１が有する携帯電話機１００、有線ページング装置１１０の子機及び内線電話１２０にショートメッセージの送受信を行うためのサーバである。
【００２１】
次に、本実施の形態にかかる通信システム１の動作について説明する。以下では、二つの制御部２０及び３０を備える二重化運用時の動作を説明する。図５は、本実施の形態における通信システムの２つの制御部がいずれも優先系に設定され、異なる時期に起動した時のシーケンス図である。図６は、本実施の形態における通信システムの２つの制御部がいずれも優先系に設定され、同時起動した時のシーケンス図である。図７は、本実施の形態における通信システムの２つの制御部がいずれも非優先系に設定され、異なる時期に起動した時のシーケンス図である。図８は、本実施の形態における通信システムの２つの制御部がいずれも非優先系に設定され、同時起動した時のシーケンス図である。
【００２２】
（第１の実施形態）
第１の実施形態では、制御部２０及び３０がいずれも優先系に設定され、各々異なるタイミングで起動されたときに、設定異常を表示させる動作について説明する。
【００２３】
まず、管理者（オペレータ）は、図５に示すように、管理コンソール１０によりＩＦ２８を介して制御部２０を起動（電源ＯＮ）、又は、制御部２０の電源スイッチ（不図示）をＯＮさせる（Ｓ１）。そして、イニシャル処理部２１はイニシャル処理を行う（Ｓ２）。
【００２４】
次に、予備管理部２２は運用系決定処理を行う（Ｓ３）。具体的には、まず、予備管理部２２のＤＩＰＳＷ設定読込部２２ａは、ＤＩＰＳＷ２７の設定情報を読み込むとともに、比較部２２ｃに設定情報を送信する。比較部２２ｃは、受信した設定情報を処理制御部２２ｄに送信するとともに、ログ保存処理部２２ｆを介してメモリ２５に保存する。処理制御部２２ｄは、ＤＩＰＳＷ２７の設定が優先系であり、尚且つ制御部３０が起動していないため、現用系として交換制御部２３に通信制御の運用を開始させる。なお、制御部２０及び３０は、クロック（不図示）で同期を取っている。このため、制御部２０は制御部３０が起動していないことを認識することができる。
【００２５】
また、要求・状態送受信部２２ｂは要求電文を送信する（Ｓ４〜Ｓ５）。この時、図５に示すように、要求・状態送受信部２２ｂは、制御部３０が起動していないので、応答電文が制御部３０から送信されない。このような状況の場合、要求・状態送受信部２２ｂは、例えば、一回の要求に対して１０秒間待機し、応答がない場合に再度要求電文を送信する動作を２０回行う。なお、本実施形態では、処理制御部２２ｄが、制御部３０が起動していないことを確認して運用を開始したが、要求・状態送受信部２２ｂが所定回数のリトライ処理をしても、制御部３０から応答電文が送信されない場合に運用を開始してもよい。
【００２６】
ログ保存処理部２２ｆは、メモリ２５に各種処理のログ情報を保存する。なお、ログ保存処理部２２ｆがログ情報を保存するメモリは、メモリ２５に限定されず、例えば専用メモリでもよい。
【００２７】
続いて、管理者は、制御部２０が運用を開始した後、管理コンソール１０によりＩＦ３８を介して制御部３０を起動（電源ＯＮ）させる（Ｓ６）。制御部３０のイニシャル処理部３１はイニシャル処理をする（Ｓ７）。
【００２８】
次に、予備管理部３２は運用系決定処理を行う（Ｓ８）。具体的には、まず、ＤＩＰＳＷ設定読込部３２ａは、ＤＩＰＳＷ３７の設定情報を読み込み、読み込んだ設定情報を比較部３２ｃに送信する。比較部３２ｃは、受信した設定情報を、処理制御部３２ｄに送信するとともにログ保存処理部３２ｆを介してメモリ３５に保存する。処理制御部３２ｄは、ＤＩＰＳＷ３７の設定が優先系であるものの制御部２０が現用系で運用しているため、予備系として交換制御部３３に待機させる。
【００２９】
また、要求・状態送受信部３２ｂは、要求電文を要求・状態送受信部２２ｂに送信する（Ｓ９）。要求電文は、少なくとも優先系／非優先系の情報を要求するものである。要求・状態送受信部２２ｂは、要求電文を受信した後、メモリ２５から制御部２０の設定情報を読み出し、要求電文に制御部２０の設定状態を格納し、応答電文を要求・状態送受信部３２ｂに送信する（Ｓ１０）。要求電文に格納された内容は、図３に示すように、紙面の左から順に、０系（現用系）、優先系である。要求・状態送受信部３２ｂは、このように応答電文を受信し比較部３２ｃに送信する。
【００３０】
比較部３２ｃは、応答電文に格納された制御部２０の設定情報と、メモリ３５に保存されている制御部３０の設定情報とを比較する。本実施の形態では、制御部２０及び制御部３０がＤＩＰＳＷの設定が優先系であるため、ＤＩＰＳＷ２７及び３７の設定情報が一致している。このため、比較部３２ｃは、この比較結果を処理制御部３２ｄ、ＬＥＤ制御部３２ｅ及びログ保存処理部３２ｆに送信する。
【００３１】
処理制御部３２ｄは、受信した比較結果から、交換制御部３３に運用を停止させるとともに、停止させるログ情報をログ保存処理部３２ｆに送信する。また、ＬＥＤ制御部３２ｅは、ＬＥＤ３６に異常設定である旨の表示をさせる（Ｓ１３）。
【００３２】
一方、制御部２０の要求・状態送受信部２２ｂは、クロックにより又は運用設定状態要求電文を受信したことにより制御部３０が起動したことを認識した後、要求・状態送受信部３２ｂに要求電文を送信する（Ｓ１１）。要求・状態送受信部３２ｂは、要求電文を受信した後、要求電文に制御部３０の設定状態を格納し、応答電文を要求・状態送受信部２２ｂに送信する（Ｓ１２）。格納された内容は、図４に示すように、紙面の左から順に、１系（予備系）、優先系である。要求・状態送受信部２２ｂは、受信した応答電文を比較部２２ｃに送信する。
【００３３】
比較部２２ｃは、応答電文に格納された制御部３０の設定情報と、メモリ２０から読み出した制御部２０の設定情報とを比較する。本実施の形態では、制御部２０及び制御部３０がＤＩＰＳＷの設定が優先系であるため、ＤＩＰＳＷ２７及び３７の設定値が一致している。このため、比較部２２ｃは、この比較結果を処理制御部２２ｄ、ＬＥＤ制御部２２ｅ及びログ保存処理部２２ｆに送信する。
【００３４】
処理制御部２２ｄは、受信した比較結果から、交換制御部２３のＢＳＩＦ５０等の制御を停止させるとともに、制御部２０の運用を停止させる情報をログ保存処理部２２ｆに送信する。また、ＬＥＤ制御部２２ｅは、ＬＥＤ２６に異常設定の表示をさせる（Ｓ１４）。
【００３５】
（第２の実施形態）
第２の実施形態では、制御部２０及び３０がいずれも優先系に設定され、同時に起動したときに、設定異常を表示させる動作について説明する。
【００３６】
まず、管理者は、図６に示すように、制御部２０及び３０を起動（電源ＯＮ）させる（Ｓ２１及びＳ２２）。そして、イニシャル処理部２１及び３１の各々はイニシャル処理を行う（Ｓ２３及びＳ２４）。
【００３７】
次に、予備管理部２２及び３２の各々は、運用系決定処理を行う（Ｓ２５及びＳ２６）。制御部２０及び３０の各々は、いずれも優先系に設定されており、尚且つ制御部３０及び２０が運用を開始していないため、現用系として運用を開始する。また、第１の実施形態と同様に、ＤＩＰＳＷ設定読込部２２ａ及び３２ａの各々は、ＤＩＰＳＷ２７及び３７の設定情報を読み込み、比較部２２ｃ及び３２ｃに送信する。比較部２２ｃ及び３２ｃの各々は、ＤＩＰＳＷ２７及び３７の設定情報を処理制御部２２ｄ及び３２ｄに送信するとともに、メモリ２５及び３５に保存する。
【００３８】
また、要求・状態送受信部２２ｂ及び３２ｂの各々は、運用設定状態要求電文を要求・状態送受信部３２ｂ及び２２ｂに送信する（Ｓ２７及びＳ２９）。次に、要求・状態送受信部３２ｂ及び２２ｂの各々は、制御部３０及び２０の設定情報をメモリ３５及び２５から読み出し要求電文に格納した後、図３に示す応答電文を要求・状態送受信部２２ｂ及び３２ｂに送信する（Ｓ２８及びＳ３０）。要求・状態送受信部２２ｂ及び３２ｂの各々は、応答電文を受信し比較部２２ｃ及び３２ｃに送信する。
【００３９】
後は、第１の実施形態と同様に、比較部２２ｃ及び３２ｃの各々は制御部２０及び３０の設定情報とを比較し、ＤＩＰＳＷ２７及び３７の設定情報が一致している比較結果を処理制御部２２ｄ及び３２ｄ等に送信する。そして、処理制御部２２ｄ及び３２ｄの各々は、交換制御部２３及び３３に通信制御を停止させるとともに、ＬＥＤ制御部２２ｅ及び３２ｅを介してＬＥＤ２６及び３６に異常設定の表示をさせる（Ｓ３１及びＳ３２）。
【００４０】
（第３の実施形態）
第３の実施形態では、制御部２０及び３０がいずれも非優先系に設定され、各々異なるタイミングで起動されたときに、設定異常を表示させる動作について説明する。本実施の形態では、第１の実施形態において、制御部２０及び３０が非優先系に設定されている他は、第１の実施形態と同様の動作形態である。
【００４１】
まず、管理者は、図７に示すように、制御部２０を起動（電源ＯＮ）させる（Ｓ４１）。イニシャル処理部２１はイニシャル処理を行う（Ｓ４２）。そして、予備管理部２２は運用系決定処理を行う（Ｓ４３）。具体的には、処理制御部２２ｄは、ＤＩＰＳＷ設定読込部２２ａで読み込んだ設定情報から非優先系であると認識し、制御部３０の起動を待つ。処理制御部２２ｄは、所定時間待機しても制御部３０が起動しないため、現用系として交換制御部２３に通信制御の運用を開始させる。また、第１の実施形態と同様に、要求・状態送受信部２２ｂは、要求電文を送信し（Ｓ４４〜Ｓ４５）、制御部３０の設定情報を要求する。
【００４２】
次に、管理者は制御部３０を起動（電源ＯＮ）させる（Ｓ４６）。イニシャル処理部３１はイニシャル処理を行う（Ｓ４７）。そして、予備管理部３２は運用系決定処理を行う（Ｓ４８）。具体的には、処理制御部３２ｄは、後述する応答電文に基づいて、制御部３０が非優先系で設定され制御部２０が現用系で運用していることを認識し、予備系で運用を開始させる。
【００４３】
この後は第１の実施形態と同様に、要求・状態送受信部２２ｂ及び３２ｂの各々は、互いに要求電文及び応答電文を送受信する（Ｓ４９〜Ｓ５２）。そして、比較部２２ｃ及び３２ｃの各々は、制御部２０及び３０の設定情報が共に非優先系であり一致する比較結果を処理制御部２２ｄ、３２ｄ、ＬＥＤ制御部２２ｅ及び３２ｅに送信する。処理制御部２２ｄ及び３２ｄの各々は、交換制御部２３及び３３の各々の運用を停止させる。また、ＬＥＤ制御部２２ｅ及び３２ｅの各々は、ＬＥＤ２６及び３６の各々に設定異常を表示させる（Ｓ５３及びＳ５４）。
【００４４】
（第４の実施形態）
第４の実施形態では、制御部２０及び３０がいずれも非優先系に設定され、同時に起動したときに、設定異常を表示させる動作について説明する。本実施の形態は、第２の実施形態において、制御部２０及び３０が非優先系に設定されている他は、第２の実施形態と同様の動作形態である。
【００４５】
まず、管理者は、図８に示すように、制御部２０及び制御部３０を起動（電源ＯＮ）させる（Ｓ６１及びＳ６２）。イニシャル処理部２１及び３１の各々はイニシャル処理を行う（Ｓ６３及びＳ６４）。制御部２０及び３０の各々は、運用系決定処理を行う（Ｓ６５及びＳ６６）。具体的には、制御部２０及び３０の各々は、いずれも非優先系であるため相手の運用開始を待つ。そして、制御部２０及び３０の各々は、相手が運用を開始しないため、自己を現用系として運転を開始する。
【００４６】
この後は第２の実施形態と同様に、要求・状態送受信部２２ｂ及び３２ｂの各々は、互いに要求電文及び応答電文を送受信する（Ｓ６７〜Ｓ７０）。比較部２２ｃ及び３２ｃの各々は、制御部２０及び３０の設定情報が共に非優先系であり一致する比較結果を処理制御部２２ｄ、３２ｄ、ＬＥＤ制御部２２ｅ及び３２ｅに送信する。処理制御部２２ｄ及び３２ｄの各々は、交換制御部２３及び３３の各々の運用を停止させる。また、ＬＥＤ制御部２２ｅ及び３２ｅの各々は、ＬＥＤ２６及び２７の各々に設定異常を表示させる（Ｓ７１及びＳ７２）。
【００４７】
以上のように、本実施の形態にかかる通信システム１は、制御部２０及び３０の設定情報を比較し優先系又は非優先系のいずれかで一致するような場合に、運用を開始した後でも自己の判断で運用を停止することができる。このため、通信システム１は、二重化運用上の障害を最小限に抑制することができる。また、通信システム１は、運用を停止した場合にＤＩＰＳＷ２７及び３７の設定異常を表示する。このため、作業者は、二重化運用上の傷害の原因がＤＩＰＳＷ２７及び３７の設定異常であることを容易に認識することができるため、二重化運用上の障害を最小限に抑制することが可能となる。
【００４８】
本実施の形態では、通信システムが二つの制御部を有するが、三つ以上の制御部を有してもよい。この場合であっても、各制御部の比較部は、比較対象が増えるものの、ＤＩＰＳＷの設定が一致するか否かの判断が可能なため、二重化運用と同様に、運用の継続や停止の判断をすることができる。
【００４９】
また、上述の第１の実施形態及び第３の実施形態では、先に起動して運用を開始していた制御部２０も、ＤＩＰＳＷ２７及び３７の設定が同一であれば停止又はリセットするが、本発明はこれに限定されることはない。すなわち、第１の実施形態及び第３の実施形態において、先に起動していた制御部２０は起動（運用）を維持し、後から起動した制御部３０のみ停止又はリセットして異常表示を行うようにしてもよい。これにより、ＤＩＰＳＷ２７及び３７の設定が同一であった場合でも、一方の制御部を先に起動して運用を開始している場合には、その起動、運用を停止する必要がなく、ＤＩＰＳＷ２７及び３７の設定ミスのエラー表示をしながら、より円滑な運用を行うことができる。
【符号の説明】
【００５０】
１  通信システム、１０  管理コンソール、２０及び３０  制御部  ２１及び３１  イニシャル処理部、２２及び３２  予備管理部、２２ａ及び３２ａ  ＤＩＰＳＷ設定読込部、２２ｂ及び３２ｂ  要求・状態送受信部、２２ｃ及び３２ｃ  比較部、２２ｄ及び３２ｄ  処理制御部、２２ｅ及び３２ｅ  ＬＥＤ制御部、２２ｆ及び３２ｆ  ログ保存処理部、２３及び３３  交換制御部、２４及び３４  運用管理部、２５及び３５  メモリ、２６及び３６  ＬＥＤ、２７及び３７  ＤＩＰＳＷ、２８及び３８  ＩＦ、４０  通信制御部、５０  ＢＳＩＦ、６０  ＰＣＵ、７０  ＣＯＴ、８０  ＤＩＦ、９０  無線基地局装置、１００  無線通信端末（携帯電話機）、１１０  有線ページング装置、１２０  内線電話、１３０  ショートメッセージサーバ。
【図１】
2011146798.tif 000003
【図２】
2011146798.tif 000004
【図３】
2011146798.tif 000005
【図４】
2011146798.tif 000006
【図５】
2011146798.tif 000007
【図６】
2011146798.tif 000008
【図７】
2011146798.tif 000009
【図８】
2011146798.tif 000010